(57)【特許請求の範囲】
【請求項１】
天板を支持する少なくとも１個の脚の後面に、上下方向を向く空所を設け、この空所の後面開口部に、上下寸法を前記空所の上下寸法より小としたスライドカバーを、前記空所とスライドカバーとの上下寸法の差に相当する分だけ上下方向に摺動可能として装着し、前記スライドカバーの上下移動により開閉される前記空所の上下いずれか一方の部分を、オプション部材用の開口とし、かつ前記空所の上下いずれか他方の部分を、脚に取り付けた他の部材により閉塞したことを特徴とするデスクにおける脚構造。
【請求項２】
空所の上下いずれか一方の部分を、オプション部材の取付部とした請求項１記載のデスクにおける脚構造。
【請求項３】
オプション部材取付部の後方のスライドカバーを開くことにより形成された開口を介して、デスクの側面に配設したオプション部材に取り付けた取付金具を空所内に嵌合し、その嵌合した端部を、オプション部材取付部に取り付けた請求項２記載のデスクにおける脚構造。
【請求項４】
オプション部材用の開口を、配線取出し口とした請求項１記載のデスクにおける脚構造。
【請求項５】
スライドカバーに、脚における空所の内面に圧接して摺動するガイドシューを設けることにより、スライドカバーを、空所における上下方向の任意の位置に保持可能とした請求項１〜４のいずれかに記載のデスクにおける脚構造。
【請求項６】
空所の上下いずれか他方の部分を閉塞する他の部材を、脚の後面において、左右１対の脚同士、または脚と袖箱とを連結する横連結材とした請求項１〜５のいずれかに記載のデスクにおける脚構造。
【請求項７】
空所の上下いずれか他方の部分を閉塞する他の部材を、脚の後面において、左右１対の脚同士、または脚と袖箱とに取り付けられ、かつ天板下方の下肢空間を閉塞する幕板とした請求項１〜５のいずれかに記載のデスクにおける脚構造。
【請求項８】
上下２個のスライドカバーを、脚の後面に設けた上下２個の空所、または上下方向に長い１個の空所の開口部に、互いに独立して上下摺動可能として装着し、上下のスライドカバーを、互いに上下方向に最も離れるように移動したときに、脚の中間部に形成される前記空所の開口を、１個の他の部材により閉塞するようにした請求項１〜３のいずれかに記載のデスクにおける脚構造。
【発明の詳細な説明】
【技術分野】
【０００１】
本発明は、オプション部材の取付を可能としたデスクにおける脚構造に関する。
【背景技術】
【０００２】
オフィスなどにおいて使用されるデスクにおいては、より多様な用途に対応しうるように、デスクの後方または側方を閉塞する目隠し用のパネルや、後方への転倒を防止するための安定脚、床面または壁面へ固定するための固定金具等のオプション部材を取付可能であることが望ましい。
このようなオプション部材の取付構造としては、デスクの脚体や天板などの外側部に、オプション部材取付部を予め加工しておき、この取付部に、連結手段をもってオプション部材を取付けるようにしたものが多い。
しかし、このような構造においては、取付部がデスクの脚体や天板の外面に露呈するため、体裁が悪い。
【０００３】
このような問題を解決するため、脚体や天板の外面に設けられた取付部を、着脱可能なキャップ等の閉塞部材で覆っておき、必要の際に、これを取外して、オプション部材を取付けるようにしたものがある（例えば特許文献１または２参照）。
【特許文献１】特開平０８−１５４７６２号公報
【特許文献２】特開２００３−２７８２９７号公報
【発明の開示】
【発明が解決しようとする課題】
【０００４】
しかし、このような従来の構造においては、オプション部材を取付けるためには、閉塞部材を取外すため、取外した閉塞部材を紛失してしまう可能性が高く、後にデスクの用途変更などにより、オプション部材を取付ける必要が生じたときに、閉塞部材が見あたらず、取付部が露呈したままとされることがある。
【０００５】
本発明は、従来の技術が有する上記のような問題点に鑑み、デスク外面の体裁を良好にすることができるとともに、必要に応じて、オプション部材の取付部を開放して外部に露呈させることができるようにした、閉塞部材の紛失のおそれのないデスクにおける脚構造を提供することを目的としている。
【課題を解決するための手段】
【０００６】
本発明によると、上記課題は次のようにして解決される。
【０００７】
（１）天板を支持する少なくとも１個の脚の後面に、上下方向を向く空所を設け、この空所の後面開口部に、上下寸法を前記空所の上下寸法より小としたスライドカバーを、前記空所とスライドカバーとの上下寸法の差に相当する分だけ上下方向に摺動可能として装着し、前記スライドカバーの上下移動により開閉される前記空所の上下いずれか一方の部分を、オプション部材用の開口とし、かつ前記空所の上下いずれか他方の部分を、脚に取り付けた他の部材により閉塞する。
【０００８】
（２）上記(１)項において、空所の上下いずれか一方の部分を、オプション部材の取付部とする。
【０００９】
（３）上記(２)項において、オプション部材取付部の後方のスライドカバーを開くことにより形成された開口を介して、デスクの側面に配設したオプション部材に取り付けた取付金具を空所内に嵌合し、その嵌合した端部を、オプション部材取付部に取り付ける。
【００１０】
（４）上記(１)項において、オプション部材用の開口を、配線取出し口とする。
【００１１】
（５）上記(１)〜(４)項のいずれかにおいて、スライドカバーに、脚における空所の内面に圧接して摺動するガイドシューを設けることにより、スライドカバーを、空所における上下方向の任意の位置に保持可能とする。
【００１２】
（６）上記（１）〜(５)項のいずれかにおいて、空所の上下いずれか他方の部分を閉塞する他の部材を、脚の後面において、左右１対の脚同士、または脚と袖箱とを連結する横連結材とする。
【００１３】
（７）上記(１)〜（５）項のいずれかにおいて、空所の上下いずれか他方の部分を閉塞する他の部材を、脚の後面において、左右１対の脚同士、または脚と袖箱とに取り付けられ、かつ天板下方の下肢空間を閉塞する幕板とする。
【００１４】
（８）上記（１）〜(３)項のいずれかにおいて、上下２個のスライドカバーを、脚の後面に設けた上下２個の空所、または上下方向に長い１個の空所の開口部に、互いに独立して上下摺動可能として装着し、上下のスライドカバーを、互いに上下方向に最も離れるように移動したときに、脚の中間部に形成される前記空所の開口を、１個の他の部材により閉塞するようにする。
【発明の効果】
【００１５】
本発明によると、次のような効果を奏することができる。
請求項１記載の発明によると、普段は、オプション部材用の開口を、スライドカバーにより閉じておくことにより、体裁を保つことができる。このとき、空所におけるオプション部材用の開口が設けられていない方の端部は後方に向かって開口するが、その開口部分は、脚に取り付けられた他の部材によって閉塞されるので、外部に露呈することはなく、やはり体裁を保つことができる。
また、オプション部材用の開口を使用したい場合は、スライドカバーを、空所の開口部に沿って、オプション部材用の開口が開く方向に摺動させ、オプション部材用の開口を開いて使用することができる。
このとき、スライドカバーは、脚に装着されたままであるので、従来のキャップのように、脚から離れて紛失することはなく、オプション部材用の開口を使用する必要がなくなったときは、スライドカバーを閉じることにより、元の状態に戻すことができ、体裁を保つことができる。
【００１６】
請求項２または３記載の発明によると、スライドカバーを開いて、そのときに形成される開口を通して、オプション部材、またはその取付金具を、空所内の取付部に取付けることができる。
【００１７】
請求項４記載の発明によると、スライドカバーを開いて、そのときに形成される配線取出し口を通して、デスク上に載置された電子機器のケーブルなどの配線を、脚から引き出して、他の機器や電源などと接続することができる。
【００１８】
請求項５記載の発明によると、ガイドシューが脚における空所の内面に圧接して摺動するので、その圧接力で、スライドカバーを任意の位置で弾圧保持することができ、スライドカバーの自重による不時の降下を防止することができるとともに、スライドカバーの摺動時における空所の開口部周縁との擦過による傷付も防止することができる。
【００１９】
請求項６または７記載の発明によると、空所におけるオプション部材用の開口と反対側の端部の開口を閉塞する、脚に取り付けられた他の部材を、横連結材または幕板としてあるので、上記開口を閉塞するための特別の閉塞部材を設ける必要がなく、部品点数を少なくすることができる。
【００２０】
請求項８記載の発明によると、脚の後面の上下２個所にオプション部材用の開口を形成できるとともに、それらのオプション部材用の開口を閉じたときに形成される各スライドカバーの反対側の開口部分を、１個の他の部材により閉塞することができ、部品点数の削減を図ることができる。
【発明を実施するための最良の形態】
【００２１】
図１〜図３は、オプション部材を取付けていない本発明の基本となる第１の実施形態を示す。
図１において、デスク１は、左右１対の脚２、２と、両脚２、２上に支持された天板３と、両脚２、２の後端上部同士を連結する左右方向を向く横連結材４とを備えている。
【００２２】
脚２は、板状の垂直の脚体５と、脚体５の下端において、後部から前方に向けて水平に延設された脚杆６と、脚体５の上端において、後部から前方に向けて水平に延設された天板支持杆７とを備えている。各脚杆６の下面には、前後１対の不陸調整用のアジャスタ８が設けられ、また天板支持杆７には、図示しない取付手段等をもって、天板３が固着されている。
【００２３】
脚体５の後面には、図２および図３に示すように、左右の側面から互いに内方を向く１対の内向き突片５ａ、５ａが形成され、この左右の内向き突片５ａ、５ａ間に、形成されている上下方向を向く開口の内奥部に、平面視後向コ字形をなし、かつ脚体５と一体化された保持枠９を設けることにより、開口の内奥部に、内方がやや拡開した縦長のあり溝状の空所１０が形成されている。
【００２４】
この空所１０の下部において、保持枠９の下部には、オプション部材のための取付孔１１が設けられ、この取付孔１１は、保持枠９の前面に設けた溶接ナット１２と連通している。
【００２５】
また、空所１０には、上下方向に摺動可能なスライドカバー１３が嵌合されている。
スライドカバー１３は、図３に示すように、平面視ほぼ後向コ字形を写し、空所１０の幅より僅かに狭幅をなし、脚体５の後面と同一面とした基片１３ａと、基片１３ａの左右両側に凹入段部１３ｂを介して、前方に向けて一体に折曲形成した左右１対の側片１３ｃと、各側片１３ｃの前端より内側に向けて折曲形成された後片１３ｄとを備えている。
【００２６】
スライドカバー１３の空所１０内の上下方向の複数箇所には、弾性体からなるガイドシュー１４が嵌合されている。ガイドシュー１４は、スライドカバー１３の基片１３ａの内側に当接する押圧片１４ａと、押圧片１４ａの前部に一体化され、保持枠９の後面に当接するばね片１４ｂと、押圧片１４ａの前方から左右に分岐されて後方に向けて折返され、各側片１３ｃの外側を抱持するとともに、先端が内向き突片５ａの内面に圧接する左右１対の抱持片１４ｃとを備え、スライドカバ−１３が空所１０の内面に直接接触することを防止し、かつばね片１４ｂの弾性により、スライドカバ−１３を、空所１０の上下方向の任意の位置に弾圧保持しうるようにしてある。
【００２７】
また、図１に示すように、スライドカバー１３の上下方向の長さＬは、脚体５の全高をＨとし、横連結材４の上下幅をｈとすると、Ｌ≧Ｈ−ｈの関係としてあり、スライドカバー１３が空所１０の下端に当接する全閉状態では、スライドカバー１３の上端は外方に露出せず、またスライドカバー１３の摺動代は、長さｈ分か、あるいはこれよりやや小さな値に設定されている。そのため、スライドカバー１３の全閉時においては、空所１０の上部内側が外方から覗かれることはなく、しかも、スライドカバー１３を上限まで移動させた全開状態での空所１０の下端部の開口寸法を大としうるようにしてある。
【００２８】
この実施形態では、スライドカバー１３を上方にスライドすることによって、保持枠９の下部に露出する空所１０内の取付孔１１を利用したオプション部材の取付が可能である。また、オプション部材を取付けない場合であっても、空所１０の内部を脚体５の上端に開口させることによって、天板３上に配置される電子機器のコードや、ケーブルなどを、脚体５内を通して、その後端下部から外部に引出すことができ、デスク１の上面やその周辺部における配線などの錯雑さも解消される。
【００２９】
図４〜図７は、上記デスク１に、オプション部材として、デスク１に補助脚および補助天板を増設した場合の第２の実施形態を示している。
脚体５の後端下部には、これに対向して補助脚２０が連結され、また、横連結材４の後面には、天板３の左右方向長さと同一の長さとした補助天板２１が、図示しないブラケット等の適宜の固定手段をもって、水平を保つようにして固定されている。
【００３０】
補助脚２０は、補助天板２１の増設に伴い、デスク１の後部に荷重のモーメントが加わることによる、デスク１の転倒を防止するためのものであり、下縁が水平で、上縁が脚体５側に向けて前上向き傾斜する側面視ほぼ直角三角形をなし、後端部下面には、不陸調整用のアジャスタ２２が設けられ、前端下部には、図５および図６に示すように、脚杆６の後端下部に設けられたスカート部６ａの下端に係合する上向きのフック部２３が一体に設けられ、また、前端上部には、スライドカバー１３を上方に開いた状態で、空所１０の下端部の開口に嵌合しうる方形の取付ブロック２４が設けられている。
【００３１】
補助脚２０は、フック部２３を、脚杆６のスカート部６ａの下端に係合し、かつ取付ブロック２４を空所１０の下端部の開口に嵌合した状態で、補助脚２０の傾斜面に開口するようにして補助脚２０に設けた前後方向を向くボルト孔２０ａに、六角孔付ボルトＢ（以下単にボルトＢと言う）を後方より挿入し、そのボルトＢの前端部を、取付ブロック２４を通して、図６に示すように、保持枠９の背面に設けられた取付孔１１に連通する溶接ナット１２に螺合させて締め付けることにより、脚杆６の後端下部に強固に取り付けられる。
【００３２】
取付ブロック２４は開口幅と同じ幅であり、また取付ブロック２４の後部には、取付ブロック２４の上下および左右の幅より大とし、かつ脚体５の左右方向の幅とほぼ同一とした拡幅鍔板状の閉塞板２４ａが一体に形成されている。これにより、補助脚２０を脚杆６の後端下部に取り付けたとき、空所１０の開口部が閉塞され、また上方に移動させたスライドカバー１３の下縁は、取付ブロック２４の上縁に突き当てられた状態で保持される、その結果、後面開口は閉塞された状態に保たれ、取付位置が外方からは見えず、内部が露呈することによる体裁の悪化も防止される。
【００３３】
図８および図９は、上記デスク１の一方の側面に、オプション部材として、サイドパネル３０を取付けた場合の第３の実施形態を示している。
図８において、サイドパネル３０の上部は、天板３、または天板支持杆７の側面に、図示しないブラケット等の適宜な固定手段をもって取付けられている。
サイドパネル３０の後下部は、図９に示すように、左右方向を向く片に、取付孔１１に対向する取付孔３１ａが設けられ、かつ前後方向を向く片に、サイドパネル３０の側面に設けたねじ孔（図示略）に対向する取付孔３１ａが設けられた平面視ほぼＬ字形の取付金具３１の各片を、それぞれの取付面に押し当て、各取付孔３１ａ、３１ａにボルトＢを挿通して、対応するねじ孔に螺合して締め付けることにより、脚体５に取付けられている。
なお、図８においては、スライドカバー１３の下縁は、取付金具３１の上縁より上方に位置している状態を示しているが、取付作業完了後に、引下ろすことにより、取付金具３１の上縁に突き当てられ、可及的に空所１０の下部開口を最小とすることができる。
【００３４】
図１０は、本発明の第４の実施の形態を示している。
この実施形態におけるデスク４０は、脚２および天板３がとも上記各実施形態と同じであるが、横連結材４１が脚体５の後部における上下方向の中間位置に連結されている点が異なる。これに伴って、空所１０の開口を摺動可能に閉塞するスライドカバーは、上下に２分割され、下部スライドカバー４２は、空所１０の下部開口を開閉可能であり、上部スライドカバー４３は空所１０の上部開口をそれぞれ独立して開閉可能としている。
【００３５】
各スライドカバー４２、４３の摺動代は、脚体５の全高の１／２と等しいか、あるいはこれより若干小さくすることにより、各スライドカバー４２、４３の全閉状態では、空所１０の中間部に形成される開口部より内部が覗かれることがなく、体裁を保つことができる。また、この構成では、一方のスライドカバー４２または４３の全閉状態で、他方のスライドカバーの開放量を最大で２倍とすることかできるなど、一方の開度に応じて、他方の開度の大小を定めることができる。
【００３６】
この実施形態においては、空所１０の上部内奥部にも取付部を設けることができるため、オプション部材の取付箇所を増すとができる。
【００３７】
本発明は、上記実施形態のみに限定されるものではなく、幾多の変形した態様での実施が可能である。
例えば、上記各実施形態では、スライドカバー１３の上下動により形成される一方の開口を、閉塞する手段として、左右の脚２を連結する横連結材４を用いているが、これに代えて、左右１対の脚２、２同士、または脚２と袖箱（図示略）とに取り付けられ、かつ天板下方の空間を閉塞する幕板を用いてもよい。
また、空所１０およびスライドカバー１３は、左右の脚２のいずれか一方のみに設けてもよいし、両方に設けてもよい。
さらに、上記第４の実施形態において、空所１０を、上下に２分割してもよい。
【図面の簡単な説明】
【００３８】
【図１】本発明の第１の実施形態を備えるデスクの全体構成を示す後方斜視図である。
【図２】図１の円Ａ内を拡大して示す斜視図である。
【図３】図１のIII−III線に沿う拡大横断平面図である。
【図４】本発明の第２の実施形態を備える補助脚を取付けたデスクの全体構成を示す斜視図である。
【図５】図４の円Ｂ内を拡大して示す斜視図である。
【図６】同じく補助脚を前方から見た斜視図である。
【図７】同じく補助脚の脚に対する連結部分の詳細を示す部分拡大断面図である。
【図８】本発明の第３の実施形態を備えるオプション部材を取付けたデスクの全体構成を示す斜視図である。
【図９】図７の円Ｃ内を拡大して示す斜視図である。
【図１０】本発明の第４の実施形態を備えるデスクの部分斜視図である。
【符号の説明】
【００３９】
１、４０  デスク
２  脚
３  天板
４、４１  横連結材
５  脚体
５ａ内向き突片
６  脚杆
７  天板支持杆
８、２２  アジャスタ
９  保持枠
１０  空所
１１  取付孔
１２  溶接ナット
１３  スライドカバー
１３ａ基片
１３ｂ凹入段部
１３ｃ側片
１３ｄ後片
１４  ガイドシュー
１４ａ押圧片
１４ｂばね片
１４ｃ抱持片
２０  補助脚（オプション部材）
２１  補助天板
２３  フック
２４  取付用ブロック
２４ａ閉塞板
２５  溶接ナット
３０  サイドパネル（オプション部材）
３１  取付金具
３１ａ取付孔
４２、４３  スライドカバー
Ｂ  六角孔付きボルト
【図１】
0005064176.tif 000002
【図２】
0005064176.tif 000003
【図３】
0005064176.tif 000004
【図４】
0005064176.tif 000005
【図５】
0005064176.tif 000006
【図６】
0005064176.tif 000007
【図７】
0005064176.tif 000008
【図８】
0005064176.tif 000009
【図９】
0005064176.tif 000010
【図１０】
0005064176.tif 000011